【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
映像信号を、フレーム内符号化ピクチャおよびフレーム間予測符号化ピクチャを含む複数の異なるピクチャタイプを用いて圧縮符号化する映像信号処理装置であって、
前記映像信号に対してゲイン調整が施されたときのゲイン設定値を取得する取得手段と、
前記映像信号を平滑化処理するための平滑化手段と、
前記平滑化手段より後段に設けられた前記映像信号を圧縮符号化するための圧縮符号化手段と、
前記圧縮符号化手段に対してピクチャタイプ毎に割り当てる符号量を設定可能な設定手段と、
前記取得手段で取得したゲイン設定値に応じて、前記平滑化手段が行う平滑化処理の強度と、前記設定手段がピクチャタイプ毎に割り当てる符号量の比率とを変更するよう制御する制御手段と
を備えたことを特徴とする映像信号処理装置。
【請求項２】
前記制御手段は、前記ゲイン設定値が所定の値より大きい場合に、前記フレーム間予測符号化ピクチャに割り当てる符号量の比率を増加させることを特徴とする請求項１に記載の映像信号処理装置。
【請求項３】
前記制御手段は、前記ゲイン設定値に比例して、前記フレーム内符号化ピクチャに割り当てる符号量と、前記フレーム間予測符号化ピクチャに割り当てる符号量との比率を変化させることを特徴とする請求項１又は２に記載の映像信号処理装置。
【請求項４】
前記ピクチャタイプ毎に割り当てる符号量の比率の変更は、前記フレーム内符号化ピクチャに対する量子化スケールと前記フレーム間予測符号化ピクチャに対する量子化スケールとの比率を変えることによって行うことを特徴とする請求項１乃至３の何れか一項に記載の映像信号処理装置。
【請求項５】
前記平滑化手段は、空間的な平滑化処理と時間的な平滑化処理の一方又は両方の平滑化処理を行うことを特徴とする請求項１乃至３の何れか一項に記載の映像信号処理装置。
【請求項６】
撮像によって前記映像信号を生成するカメラ手段をさらに備え、前記カメラ手段は生成した映像信号に対してゲイン調整を実行するとともにゲイン設定値を出力する構成を有し、前記取得手段は前記カメラ手段から出力されたゲイン設定値を取得することを特徴とする請求項１に記載の映像信号処理装置。
【請求項７】
映像信号を、フレーム内符号化ピクチャおよびフレーム間予測符号化ピクチャを含む複数の異なるピクチャタイプを用いて圧縮符号化する映像信号処理装置であって、
前記映像信号に対して施されたゲイン調整に係るゲイン設定値とシャープネス調整に係るシャープネス設定値を取得する取得手段と、
前記映像信号を平滑化処理するための平滑化手段と、
前記平滑化手段より後段に設けられた前記映像信号を圧縮符号化するための圧縮符号化手段と、
前記圧縮符号化手段に対してピクチャタイプ毎に割り当てる符号量を設定可能な設定手段と、
前記取得手段で取得したゲイン設定値及びシャープネス設定値に応じて、前記平滑化手段が行う平滑化処理の強度と、前記設定手段がピクチャタイプ毎に割り当てる符号量の比率とを変更するよう制御する制御手段と
を備えたことを特徴とする映像信号処理装置。
【請求項８】
前記制御手段は、前記ゲイン設定値が前記シャープネス設定値によって定まる所定の値より大きい場合に、前記フレーム間予測符号化ピクチャに割り当てる符号量の比率を増加させることを特徴とする請求項７に記載の映像信号処理装置。
【請求項９】
前記制御手段は、前記ゲイン設定値に比例して、前記フレーム内符号化ピクチャに割り当てる符号量と、前記フレーム間予測符号化ピクチャに割り当てる符号量との比率を、前記シャープネス設定値によって定まる割合で変化させることを特徴とする請求項７又は８に記載の映像信号処理装置。
【請求項１０】
前記制御手段は、前記ゲイン設定値が前記シャープネス設定値によって定まる所定の値より大きい場合に、前記平滑化手段に前記映像信号に対する平滑化処理を行わせることを特徴とする請求項７に記載の映像信号処理装置。
【請求項１１】
前記制御手段は、前記ゲイン設定値に比例して前記平滑化処理の強度を前記シャープネス設定値によって定まる割合で変化させることを特徴とする請求項７に記載の映像信号処理装置。
【請求項１２】
撮像によって前記映像信号を生成するカメラ手段をさらに備え、前記カメラ手段は生成した映像信号に対してゲイン調整及びシャープネス調整を実行するとともにゲイン設定値及びシャープネス設定値を出力する構成を有し、前記取得手段は前記カメラ手段から出力されたゲイン設定値及びシャープネス設定値を取得することを特徴とする請求項７に記載の映像信号処理装置。
【請求項１３】
映像信号を、フレーム内符号化ピクチャおよびフレーム間予測符号化ピクチャを含む複数の異なるピクチャタイプを用いて圧縮符号化する映像信号処理装置であって、
前記映像信号に対してゲイン調整が施されたときのゲイン設定値を取得する取得手段と、
前記映像信号を平滑化処理するための平滑化手段と、
前記平滑化手段より後段に設けられた前記映像信号を圧縮符号化するための圧縮符号化手段と、
前記圧縮符号化手段に対してピクチャタイプ毎に割り当てる符号量を設定可能な設定手段と、
前記圧縮符号化手段に対して圧縮符号化の目標ビットレートを指定する指定手段と、
前記取得手段で取得したゲイン設定値及び前記指定手段で指定された目標ビットレートに応じて、前記平滑化手段が行う平滑化処理の強度と、前記設定手段がピクチャタイプ毎に割り当てる符号量の比率とを変更するよう制御する制御手段と
を備えたことを特徴とする映像信号処理装置。
【請求項１４】
前記制御手段は、前記ゲイン設定値が前記目標ビットレートによって定まる所定の値より大きい場合に、前記フレーム間予測符号化ピクチャに割り当てる符号量の比率を増加させることを特徴とする請求項１３に記載の映像信号処理装置。
【請求項１５】
前記制御手段は、前記ゲイン設定値が前記目標ビットレートによって定まる所定の値より大きい場合に、前記平滑化手段に前記映像信号に対する平滑化処理を行わせることを特徴とする請求項１３に記載の映像信号処理装置。
【請求項１６】
前記制御手段は、前記ゲイン設定値に比例して前記平滑化処理の強度を前記目標ビットレートによって定まる割合で変化させることを特徴とする請求項１３に記載の映像信号処理装置。
【請求項１７】
映像信号を、フレーム内符号化ピクチャおよびフレーム間予測符号化ピクチャを含む複数の異なるピクチャタイプを用いて圧縮符号化する映像信号処理装置であって、
前記映像信号に対して施されたゲイン調整に係るゲイン設定値を取得する取得手段と、
前記映像信号を圧縮符号化するための圧縮符号化手段と、
前記圧縮符号化手段に対してピクチャタイプ毎に割り当てる符号量を設定可能な設定手段と、
前記設定手段がピクチャタイプ毎に割り当てる符号量の比率を、前記取得手段で取得したゲイン設定値に応じて変更するよう制御する制御手段と
を備えたことを特徴とする映像信号処理装置。
【手続補正２】
【補正対象書類名】明細書
【補正対象項目名】００１６
【補正方法】変更
【補正の内容】
【００１６】
上記課題を解決するために、本発明の映像信号処理装置は、映像信号を、フレーム内符号化ピクチャおよびフレーム間予測符号化ピクチャを含む複数の異なるピクチャタイプを用いて圧縮符号化する映像信号処理装置であって、前記映像信号に対してゲイン調整が施されたときのゲイン設定値を取得する取得手段と、前記映像信号を平滑化処理するための平滑化手段と、前記平滑化手段より後段に設けられた前記映像信号を圧縮符号化するための圧縮符号化手段と、前記圧縮符号化手段に対してピクチャタイプ毎に割り当てる符号量を設定可能な設定手段と、前記取得手段で取得したゲイン設定値に応じて、前記平滑化手段が行う平滑化処理の強度と、前記設定手段がピクチャタイプ毎に割り当てる符号量の比率とを変更するよう制御する制御手段とを備えたことを特徴とする。
【手続補正３】
【補正対象書類名】明細書
【補正対象項目名】００１７
【補正方法】変更
【補正の内容】
【００１７】
また、本発明の映像信号処理装置の他の特徴とするところは、映像信号を、フレーム内符号化ピクチャおよびフレーム間予測符号化ピクチャを含む複数の異なるピクチャタイプを用いて圧縮符号化する映像信号処理装置であって、前記映像信号に対して施されたゲイン調整に係るゲイン設定値とシャープネス調整に係るシャープネス設定値を取得する取得手段と、前記映像信号を平滑化処理するための平滑化手段と、前記平滑化手段より後段に設けられた前記映像信号を圧縮符号化するための圧縮符号化手段と、前記圧縮符号化手段に対してピクチャタイプ毎に割り当てる符号量を設定可能な設定手段と、前記取得手段で取得したゲイン設定値及びシャープネス設定値に応じて、前記平滑化手段が行う平滑化処理の強度と、前記設定手段がピクチャタイプ毎に割り当てる符号量の比率とを変更するよう制御する制御手段とを備えたことを特徴とする。
【手続補正４】
【補正対象書類名】明細書
【補正対象項目名】００１８
【補正方法】変更
【補正の内容】
【００１８】
また、本発明の映像信号処理装置の他の特徴とするところは、映像信号を、フレーム内符号化ピクチャおよびフレーム間予測符号化ピクチャを含む複数の異なるピクチャタイプを用いて圧縮符号化する映像信号処理装置であって、前記映像信号に対してゲイン調整が施されたときのゲイン設定値を取得する取得手段と、前記映像信号を平滑化処理するための平滑化手段と、前記平滑化手段より後段に設けられた前記映像信号を圧縮符号化するための圧縮符号化手段と、前記圧縮符号化手段に対してピクチャタイプ毎に割り当てる符号量を設定可能な設定手段と、前記圧縮符号化手段に対して圧縮符号化の目標ビットレートを指定する指定手段と、前記取得手段で取得したゲイン設定値及び前記指定手段で指定された目標ビットレートに応じて、前記平滑化手段が行う平滑化処理の強度と、前記設定手段がピクチャタイプ毎に割り当てる符号量の比率とを変更するよう制御する制御手段とを備えたことを特徴とする。
また、本発明の映像信号処理装置の他の特徴とするところは、映像信号を、フレーム内符号化ピクチャおよびフレーム間予測符号化ピクチャを含む複数の異なるピクチャタイプを用いて圧縮符号化する映像信号処理装置であって、前記映像信号に対して施されたゲイン調整に係るゲイン設定値を取得する取得手段と、前記映像信号を圧縮符号化するための圧縮符号化手段と、前記圧縮符号化手段に対してピクチャタイプ毎に割り当てる符号量を設定可能な設定手段と、前記設定手段がピクチャタイプ毎に割り当てる符号量の比率を、前記取得手段で取得したゲイン設定値に応じて変更するよう制御する制御手段とを備えたことを特徴とする。
【手続補正５】
【補正対象書類名】図面
【補正対象項目名】図１２
【補正方法】変更
【補正の内容】
【図１２】
2007134880.tif 000001